(57)【要約】【課題】少ない部品で、防炎性能を確保する制御装置取付構成の洗濯機を提供すること。【解決手段】筐体１の下部内方に配設された制御装置３は、制御手段や電子部品を内蔵する制御基板４と、制御基板４を底面部２５に固定した有底略矩形状の不燃材または難燃材から成る舟状ケース５とで構成されるとともに、舟状ケース５の開口縁部２２を筐体１の外周内面部に向け、開口縁部２２と筐体１の外周内面部と所定の隙間を持って近接して配置したことにより、少ない部品で安価に製造することができ、運転中に、万一、制御基板４から発火したとしても、舟状ケース５と筐体１に囲われているので、炎が制御装置３の外部に燃え広がることはなく、安全性を確保することができる。【選択図】図１
2016158734.tif 000002
【特許請求の範囲】
【請求項１】
衣類を収容する回転ドラムと、前記回転ドラムを回転自在に内包する水槽と、前記水槽を揺動自在に弾性支持し不燃材または難燃材からなる筐体と、前記筐体の上部に設けられたトップボードと、前記回転ドラムを回転駆動するモータと、前記筐体内に配設された制御装置と、前記制御装置に内蔵され前記モータ等を制御して、洗い、すすぎ、脱水等の一連の各行程を制御する制御手段とを備え、前記制御装置は、前記制御手段や電子部品を内蔵する制御基板と、前記制御基板を収納する不燃材または難燃材からなる舟状ケースとで構成されるとともに、前記舟状ケースの開口縁部を前記筐体の内面部に向けて配設した洗濯機。
【請求項２】
前記制御装置は、前記舟状ケースの前記開口縁部と前記筺体の内面部と間に隙間を有して近接して配置した請求項１記載の洗濯機。
【請求項３】
前記舟状ケースの下部に電気配線を挿入する開口部を形成した請求項１又は２に記載の洗濯機。
【発明の詳細な説明】
【技術分野】
【０００１】
本発明は、洗濯、すすぎ、脱水の一連の行程を実行する洗濯機に関するものである。
【背景技術】
【０００２】
従来、この種の洗濯機は、筺体内に配置した制御装置に、防炎対策を施した構成が提案されてきた（例えば、特許文献１参照）。
【０００３】
図４は、特許文献１に記載された従来の洗濯機の縦断面図である。
【０００４】
図４に示す洗濯機は、前方に衣類投入口１３を有する回転ドラム８と、回転ドラム８を回転自在に収容する水槽２とを筐体５１内に配設し、筐体５１の上部にはトップボード１２を配設し、筐体５１の正面に設けられた扉体１１から回転ドラム８内へ衣類の出し入れを行うよう構成している。
【０００５】
回転ドラム８は、有底円筒形の開口部側を筐体５１の正面側に、底面側を筐体５１の背面側にして、その回転軸心が開口部側から底面側に向けて下向き傾斜となるように水槽２内に配置され、その回転駆動軸９は水槽２の背面に設けられた軸受１０で軸支されている。水槽２の下面に取り付けられたモータ７の回転駆動軸に装着された駆動プーリ１６ａと、回転駆動軸９側の従動プーリ１６ｂとの間に駆動ベルト１７が架設されたベルト駆動構造により、モータ７によって回転ドラム８は回転駆動される。
【０００６】
筐体５１内部上方に配した給水手段（図示せず）により水槽２内部に洗濯水が給水され、回転ドラム８の周面には多数の透孔１８が形成されて水槽２内との間で水の流通ができるように構成され、回転ドラム８の回転により衣類を上方に持ち上げ、上方から落下させる叩き洗いの作用がなされるように構成されている。
【０００７】
筐体５１上部内方でトップボード１２の下部には、制御装置５３が配設されている。制御装置５３は、洗い、すすぎ、脱水等の一連の行程を制御する制御手段（図示せず）を内蔵した制御基板５４と、制御基板５４を装着する舟状ケース５５と、制御基板５４を下側から覆い、舟状ケース５５に装着される難燃性材または不燃性材で形成されたカバー体５６とで構成されている。そして、一体構成された制御装置５３は、舟状ケース５５から外方に突出させて形成した腕５５ｂを筐体５１にねじ止めされることで固定されている。
【先行技術文献】
【特許文献】
【０００８】
【特許文献１】特開２０１０−０６３７５０号公報
【発明の概要】
【発明が解決しようとする課題】
【０００９】
しかしながら、前記従来の構成では、制御基板を装着した舟状ケースを覆うカバー体を必要とするために、カバー体自体のコストに加え、舟状ケースとカバー体の組立てに必要となるネジおよび加工工程といった製造上のコストが増加するという課題があった。
【００１０】
また、制御基板を装着した舟状ケースとカバー体の組立て時において、舟状ケースとカバー体の間に制御基板に接続されたリード線を挟み込み、リード線に損傷を与える虞があるという安全上の課題があった。
【００１１】
本発明は、上記課題を解決するもので、部品を削減し、安価で安全性に優れた洗濯機を提供することを目的としている。
【課題を解決するための手段】
【００１２】
前記従来の課題を解決する為に、本発明の洗濯機は、衣類を収容する回転ドラムと、前記回転ドラムを回転自在に内包する水槽と、前記水槽を揺動自在に弾性支持し不燃材または難燃材からなる筐体と、前記筐体の上部に設けられたトップボードと、前記回転ドラムを回転駆動するモータと、前記筐体内に配設された制御装置と、前記制御装置に内蔵され前記モータ等を制御して、洗い、すすぎ、脱水等の一連の各行程を制御する制御手段とを備え、前記制御装置は、前記制御手段や電子部品を内蔵する制御基板と、前記制御基板を収納する不燃材または難燃材からなる舟状ケースとで構成されるとともに、前記舟状ケースの開口縁部を前記筐体の内面部に向けて配設したもので、これによって、部品点数を削減し、安価に安全性を確保することができる。
【発明の効果】
【００１３】
本発明の洗濯機は、部品点数を削減し、安価に安全性を確保することができる。
【図面の簡単な説明】
【００１４】
【図１】本発明の実施の形態１における洗濯機の縦断面図
【図２】同洗濯機の一部透視した平面図
【図３】同洗濯機の図２に示される制御装置のＡ−Ａ断面図
【図４】従来の洗濯機の縦断面図
【発明を実施するための形態】
【００１５】
第１の発明は、衣類を収容する回転ドラムと、前記回転ドラムを回転自在に内包する水槽と、前記水槽を揺動自在に弾性支持し不燃材または難燃材からなる筐体と、前記筐体の上部に設けられたトップボードと、前記回転ドラムを回転駆動するモータと、前記筐体内に配設された制御装置と、前記制御装置に内蔵され前記モータ等を制御して、洗い、すすぎ、脱水等の一連の各行程を制御する制御手段とを備え、前記制御装置は、前記制御手段や電子部品を内蔵する制御基板と、前記制御基板を収納する不燃材または難燃材からなる舟状ケースとで構成されるとともに、前記舟状ケースの開口縁部を前記筐体の内面部に向けて配設したものである。
【００１６】
第２の発明は、第１の発明において、制御装置は、前記舟状ケースの前記開口縁部と前記筺体の内面部と間に隙間を有して近接して配置したものである。
【００１７】
第３の発明は、前記舟状ケースの下部に電気配線を挿入する開口部を形成したものである。
【００１８】
以下、本発明の実施の形態について、図面を参照しながら説明する。なお、従来例と同じ構成のものは、同一符号を付して説明を省略する。また、この実施の形態によって本発明が限定されるものではない。
【００１９】
（実施の形態１）
図１は、本発明の実施の形態における洗濯機の縦断面図、図２は、同洗濯機の一部を透視した平面図、図３は、図２に示される制御装置のＡ−Ａ断面図である。
【００２０】
図１、図２、および図３において、回転ドラム８を内包する水槽２は、不燃材または難燃材からなる筐体１内に揺動自在に弾性支持されており、筐体１の下部内方には、制御装置３を配設している。
【００２１】
制御装置３は、給水手段（図示せず）、排水手段（図示せず）やモータ７等を制御し、洗い、すすぎ、脱水等の一連の行程を逐次制御するマイクロコンピュータ等からなる制御手段（図示せず）や各種電子部品を内蔵した制御基板４と、制御基板４を内部に装着する有底略矩形状の不燃材または難燃材からなる舟状ケース５から構成されている。
【００２２】
制御基板４は、舟状ケース５の底面部２５の内面に複数設けられたリブ体５ｂの段部および基板取付ボス５ａに乗せ、リブ体５ｂに形成した係合爪５ｃに引っ掛けることで仮固定される。仮固定後、基板取付ボス５ａに基板取付ねじ２４で固定される。また、舟状ケース５内にウレタン樹脂等の防湿用ポッティング材を充填することで固定しても良い。
【００２３】
そして、制御基板４を装着した舟状ケース５の底面部２５を横向きにし、舟状ケース５の側壁２０側に設けられたガイド部５ｄを、筐体１の外周下部内方に設けられた筺体凹部２１内に収納して配置し、舟状ケース５の側壁２０から突出して形成された複数の筺体取付ボス５ｅに筐体１背面側から筺体取付ねじ２３にて固定される。なお、この時、制御装置３は、舟状ケース５の開口縁部２２が、筐体１の外周内面側と所定の隙間を持って近接した状態で配置される。
【００２４】
また、制御装置３には、舟状ケース５の側壁２０の一部に、筐体１に配置した状態で下方に開口したリード線開口部１４ａを形成している。このリード線開口部１４ａには、モータ７等の電気部品を駆動するためのリード線１４、および制御装置３に商用電源を供給する電源コード１５が挿入され、制御基板４に接続されている。
【００２５】
なお、リード線１４や電源コード１５は、リード線開口部１４ａから制御装置３内に挿入される際に、一旦、たるみ部２６を設けて配線され、その後に上方へ持ち上げられてリード線開口部１４ａから挿入されるようになっている。
【００２６】
以上のように構成されたドラム式洗濯機について、以下、その動作、作用を説明する。
【００２７】
洗濯を行う際には、扉体１１を開状態にして回転ドラム８内に衣類を投入し、給水手段（図示せず）により水槽２内に所定量給水し、モータ７の駆動により回転ドラム８を回転させ、洗濯が行われる。
【００２８】
しかしながら、回転ドラム８の回転中に衣類の偏りが発生すると、回転ドラム８は偏心力が働くため、水槽２は上下や左右に大きく振れ動く場合がある。この時、水槽２には部分的な応力が加わるため、水槽２と扉体１１の接合部から水漏れが発生する虞がある。
【００２９】
さらに、給水手段の故障により、水漏れを起こす可能性がある。また、洗濯機に外部から水がかかった場合、トップボード１２と筐体１の接合部から水が浸入する可能性がある。
【００３０】
このように、運転中には常に水漏れの虞があるが、水漏れが発生した時には、筐体１を伝わる水は、制御装置３と筐体１の間に隙間を設けたことにより、制御装置３に伝わることなく筐体１の最下点に到達し、最終的に機外へと排出される。また、リード線１４、電源コード１５を制御装置３内に導入する際に、一旦たるみ部２６を設けているので、水が配線を伝って制御装置３内に入っていくことはない。
【００３１】
また、洗濯中に、制御基板４から発火した場合も、制御基板４は不燃材または難燃材からなる舟状ケース５と筐体１によって囲われているために、炎が制御装置３の外部に燃え広がることはない。さらに、従来例のようにカバー体を設けていないので、組み立て時に
リード線１４などを挟み込んで安全性を損なう虞もない。
【００３２】
以上のように、本実施の形態においては、筐体１の下部内方に配設された制御装置３は、制御手段や電子部品を内蔵する制御基板４と、制御基板４を底面部２５に固定した有底略矩形状の不燃材または難燃材から成る舟状ケース５とで構成されるとともに、舟状ケース５の開口縁部２２を筐体１の外周内面部に向け、舟状ケース５の側壁２０側に設けられたガイド部５ｄを筐体１の外周下部内方に設けられた筺体凹部２１内に収納して固定し、開口縁部２２と筐体１の外周内面部と所定の隙間を持って近接して配置したことにより、少ない部品で安価に製造することができ、そして、運転中に、万一、制御基板４から発火したとしても、舟状ケース５と筐体１に囲われているので、炎が制御装置３の外部に燃え広がることはなく、安全性を確保することができる。
【産業上の利用可能性】
【００３３】
以上のように、本発明にかかる洗濯機は、少ない部品で安価に、そして防炎性能を損なうことなく安全性を確保することが可能となるので、縦型タイプ等の洗濯機や他の電気機器の用途に適用できる。
【符号の説明】
【００３４】
１  筐体
２  水槽
３  制御装置
４  制御基板
５  舟状ケース
５ｄ  ガイド部
７  モータ
８  回転ドラム
１２  トップボード
２０  側壁
２１  筺体凹部
２２  開口縁部
２５  底面部
【図１】
2016158734.tif 000003
【図２】
2016158734.tif 000004
【図３】
2016158734.tif 000005
【図４】
2016158734.tif 000006